(57)【要約】      （修正有）【課題】履くときや脱ぐとき、また、膝辺りまで下げて用を足すときの動作によって腹部の本体布にダメージが蓄積することを防ぎ、腹部の本体布の上部端に弛みが生じることを防ぐ、股部を有する衣類を提供する。【解決手段】股部２０４を有する衣類２００は、腹部を覆う腹部布２０２と臀部を覆う臀部布とを有する本体布２０１と、第一帯状弾性体２０５と、第二帯状弾性体２０６とを有する。腹部布は、外側（表側）の第一腹部布２１０と、内側（裏側）の第二腹部布２１１とで、上部端２１０Ａ及び上部端２１１Ａを解放するようにして二重に構成され、上部端は、水平に対して互いに異なる角度で傾斜して形成される。【選択図】図３
0003230438.tif 000002
【実用新案登録請求の範囲】
【請求項１】
少なくとも腹部から臀部を覆う、股部を有する本体布と、
臀部の位置の本体布の上部端から、両側の腸骨稜の位置の本体布の上部端まで設けられる第一帯状弾性体と、
前記両側の腸骨稜の位置の本体布の上部端から、両側の上前腸骨棘の位置の内側を通って恥骨の位置の両側付近の位置まで、逆ハの字に設けられ、腹部中央に向かって内側に湾曲している第二帯状弾性体と、
を有する衣類であって、
前記腹部の位置の本体布が、外側の第一腹部布と内側の第二腹部布とで、上部端を開放するようにして二重に構成され、
前記第一腹部布の上部端と前記第二腹部布の上部端とが、水平に対して互いに異なる角度で傾斜して形成されることを特徴とする衣類。
【請求項２】
前記第一腹部布の上部端と前記第二腹部布の上部端とが、水平に対して正負逆方向に略同じ角度で傾斜して形成される請求項１に記載の衣類。
【請求項３】
前記第一腹部布の上部端と前記第二腹部布の上部端とが、直線状に形成される請求項１又は２に記載の衣類。
【請求項４】
前記第一腹部布の上部端と前記第二腹部布の上部端とが、曲線状に形成される請求項１又は２に記載の衣類。
【請求項５】
前記第一腹部布の上部端と前記第二腹部布の上部端とが、ギザギザ状に形成される請求項１又は２に記載の衣類。
【請求項６】
前記第二帯状弾性体の表面に、前記本体布と同じ素材からなる目隠し布が設けられる請求項１乃至５のいずれか一項に記載の衣類。
【考案の詳細な説明】
【技術分野】
【０００１】
本考案は、股部を有する衣類、より詳しくは、パンツやズボン等の衣類に関し、特に、腹部を圧迫しないようにした衣類に関する。
【背景技術】
【０００２】
通常のパンツやズボン等の衣類は、衣類が腰からずり落ちないようにするために、ウエスト部分を一周するゴム等の帯状弾性体が設けられたものや、ベルトで締めるもの、サスペンダ等で吊るすもの等であった。ベルトやサスペンダ等を用いるものでは、睡眠時には邪魔になったり圧迫が強くなったりするため、睡眠時に用いるようなものではなかった。ウエスト部分を一周する帯状弾性体では、腹部が圧迫されることによる不快感があった。特に中年や太った者で腹部が突き出ているような場合には、より不快感が強くなり、睡眠時に寝苦しさを訴える場合等もあった。また、腹部が締め付けられるとウエストの血行を阻害し、健康を害する場合もあった。
【０００３】
このような腹部の圧迫を防止するための衣類としては、特許文献１や、特許文献２等がある。特許文献１は、ウエストのゴムの接ぎ合わせ部分を腹部側に設け、この部分を切ることにより開放することで腹部の圧迫を防止したものである。特許文献２は、パンツの周方向の一部に縦方向のスリットを設けて重なり部を形成し、任意の重なり代で固定できるようにボタン等を設けることでウエスト部分を調整可能とし、腹部の圧迫を防止したものである。
【０００４】
しかしながら、特許文献１の例のように、単に腹部の接ぎ合わせ部分のゴムを切って開放しただけでは、衣類の安定性が悪くなってしまう場合がある。パンティストッキングのように、全体が伸縮性のある生地で身体にフィットして全体で保持されるものであればまだ良いが、男性用トランクス等、ウエスト部分のみで保持されるような衣類に特許文献１の技術を適用した場合には、ウエスト部分での保持力が弱く、ずり落ちてしまうことになる。さらに、パンティストッキングに適用した場合でも、切れ目を入れた部分が外側に丸まってしまい、安定しなくなることもあった。
【０００５】
また、特許文献２の例の場合、通常時に下着として支障なく使用するときはウエストを締め、睡眠時には締め付けないようにウエストを緩めるというように、使用者がその時々に合わせて一々衣類のウエスト部分を調整する必要があったため、使い勝手が悪かった。また、締め付けないように緩めた状態では、通常の使用形態ではないのでずり落ちてしまい、夜中にトイレに行くとき等、調整しなければ手で押さえて歩かなければならなかった。
【０００６】
そこで、上記従来技術の問題点を解決する衣類として、安定性が良く保持力もしっかり有りずり落ちることが無く、使用状態に応じて調整する必要も無い、腹部の圧迫を防止した股部を有する衣類が、特許文献３において開示されている。
【０００７】
図１は、特許文献３において開示されている股部を有する衣類の概要を示す正面図である。また、図２は、特許文献３において開示されている股部を有する衣類の概要を示す背面図である。図示されるように、特許文献３に開示されている股部を有する衣類１００は、腹部を腹部布１０２（参照符号１０２Ａは、腹部布１０２の上部端を示す。）と臀部を覆う臀部布１０３とを有する本体布１０１とから主に構成される、股部１０４を有する衣類である。そして、臀部布１０３の上部端に第一帯状弾性体１０５が設けられている。通常の衣類であれば、臀部の上部端から腹部の上部端にかけて帯状弾性体がウエスト部分を一周するが、特許文献３において開示されている股部を有する衣類１００は、次に説明するように、腹部側の帯状弾性体の位置が従来のものとは異なる。特許文献３において開示されている股部を有する衣類１００の上部端には、図１に示されるように帯状弾性体は設けられておらず、第一帯状弾性体１０５が設けられる両側の腸骨稜の位置１０７の本体布１０１の上部端から、逆ハの字のなるように足の付け根の両側まで第二帯状弾性体１０６が設けられている。すなわち、両側の腸骨稜の位置１０７の本体布１０１の上部端から、両側の上前腸骨棘の位置１０８の内側を通って恥骨の位置１０９の両側付近の位置まで配置されている。図１に示すとおり、腹部布１０２の上部端には帯状弾性体は存在せず、第二帯状弾性体１０６は、腸骨稜の位置１０７の本体布１０１の上部端から、腹部中央に向かって内側に湾曲し、先端部に所定の間隙を設けるように配置されている。
【０００８】
【特許文献１】登録実用新案第３０９９０８０号公報
【特許文献２】実開平５−２２５０２号公報
【特許文献３】特許第４７２９４９５号公報
【考案の概要】
【考案が解決しようとする課題】
【０００９】
しかしながら、特許文献３において開示されている股部を有する衣類は、当該衣類を履くときや脱ぐとき、また、膝辺りまで下げて用を足すときに、腹部の本体布が伸ばされることとなる。そのため、これらの動作によって腹部の本体布の上部端にダメージが蓄積し、腹部の本体布の上部端に弛みが生じやすかった。
【００１０】
本考案は、以上のような事情に鑑みてなされたものである。即ち、本考案は、履くときや脱ぐとき、また、膝辺りまで下げて用を足すときの動作によって腹部の本体布にダメージが蓄積することを防ぎ、腹部の本体布の上部端に弛みが生じることを防ぐ、股部を有する衣類を提供することを目的とする。
【課題を解決するための手段】
【００１１】
以上の課題を解決するために、本考案に係る衣服は、少なくとも腹部から臀部を覆う、股部を有する本体布と、臀部の位置の本体布の上部端から、両側の腸骨稜の位置の本体布の上部端まで設けられる第一帯状弾性体と、両側の腸骨稜の位置の本体布の上部端から、両側の上前腸骨棘の位置の内側を通って恥骨の位置の両側付近の位置まで、逆ハの字に設けられ、腹部中央に向かって内側に湾曲している第二帯状弾性体と、を有する衣類であって、腹部の位置の本体布が、外側の第一腹部布と内側の第二腹部布とで、上部端を開放するようにして二重に構成され、第一腹部布の上部端と第二腹部布の上部端とが、水平に対して互いに異なる角度で傾斜して形成される。
【００１２】
第一腹部布の上部端と第二腹部布の上部端とは、水平に対して正負逆方向に略同じ角度で傾斜して形成されても良い。
【００１３】
第一腹部布の上部端と第二腹部布の上部端とは、直線状に形成されても良い。
【００１４】
第一腹部布の上部端と第二腹部布の上部端とは、曲線状に形成されても良い。
【００１５】
第一腹部布の上部端と第二腹部布の上部端とは、ギザギザ状に形成されても良い。
【００１６】
第二帯状弾性体の表面に、本体布と同じ素材からなる目隠し布を設けても良い。
【考案の効果】
【００１７】
本考案によれば、履くときや脱ぐとき、また、膝辺りまで下げて用を足すときの動作によって腹部の本体布にダメージが蓄積することを防ぎ、腹部の本体布の上部端に弛みが生じることを防ぐ、股部を有する衣類を提供できる。
【図面の簡単な説明】
【００１８】
【図１】従来の股部を有する衣類を示す正面図である。
【図２】従来の股部を有する衣類を示す背面図である。
【図３】本考案に係る股部を有する衣類の第一実施形態を示す正面図である。
【図４】本考案に係る股部を有する衣類の第一実施形態を示す背面図である。
【図５】本考案に係る股部を有する衣類の第一実施形態を示す部分拡大図である。
【図６】本考案に係る股部を有する衣類の第二実施形態を示す正面図である。
【図７】本考案に係る股部を有する衣類の第三実施形態を示す正面図である。
【図８】本考案に係る股部を有する衣類の第四実施形態を示す正面図である。
【図９】本考案に係る股部を有する衣類の変形実施形態を示す正面図である。
【考案を実施するための形態】
【００１９】
以下、図面を参照しながら本考案に係る股部を有する衣類の実施形態を説明する。なお、各図を通して、同一の参照符号が付されているものは、同一または同等のものである。
【００２０】
まず、本考案に係る股部を有する衣類の第一実施形態を説明する。
【００２１】
図３は、本実施形態に係る股部を有する衣類２００を示す正面図である。また、図４は、本実施形態に係る股部を有する衣類２００を示す背面図である。図示されるように、股部を有する衣類２００は、股部２０４を有しており、本体布２０１と、第一帯状弾性体２０５と、第二帯状弾性体２０６とを備えている。なお、第一帯状弾性体２０５と第二帯状弾性体２０６とは、連続して一体的に構成されても良い。
【００２２】
本体布２０１は、腹部を覆う腹部布２０２と、臀部を覆う臀部布２０３（図４に示すように一枚の布で構成しても良く、複数の布を縫着して構成しても良い。）とを有して構成されている。ここで、腹部布２０２は、外側（表側）の第一腹部布２１０と、内側（裏側）の第二腹部布２１１とで二重に構成されており、第一腹部布２１０の上部端２１０Ａと、第二腹部布２１１の上部端２１１Ａとは、縫着されずに解放するようにして構成されている。また、第一腹部布２１０の上部端２１０Ａと、第二腹部布２１１の上部端２１１Ａとは、図３に示されるように、互いに異なる角度をもって傾斜して形成されている。
【００２３】
第一帯状弾性体２０５は、例えば上部端の生地をギャザー状にして帯状ゴムを縫い付けたものであっても、上部端の生地をギャザー状にして複数本のゴム糸を縫い込んだものであっても良く、第一帯状弾性体２０５が設けられる部分が伸縮自在に形成されるものであれば如何なるものであっても構わない。第一帯状弾性体２０５は、背面から両側の腸骨稜の位置２０７の本体布２０１の上部端のところまで設けられている。
【００２４】
第二帯状弾性体２０６は、第一帯状弾性体２０５が設けられる両側の腸骨稜の位置２０７の本体布２０１の上部端から、逆ハの字になるように足の付け根の両側まで設けられる弾性体である。すなわち、両側の腸骨稜の位置２０７の本体布２０１の上部端から、両側の上前腸骨棘の位置２０８の内側を通って恥骨の位置２０９の両側付近の位置まで配置される。したがって、図３に示されるように、第一腹部布２１０の上部端２１０Ａと第二腹部布２１１の上部端２１１Ａには帯状弾性体は存在せず、第二帯状弾性体２０６は、腸骨稜の位置２０７の本体布２０１の上部端から、腹部中央に向かって内側に湾曲し、先端部に所定に間隙を設けるように配置されている。なお、第二帯状弾性体２０６は、第一帯状弾性体２０５と同様に、帯状弾性体が設けられる部分が伸縮自在に形成されるものであれば、布地をギャザー状にしてゴムを縫い込むものなど、如何なるものであっても構わない。
【００２５】
第一腹部布２１０の上部端２１０Ａと第二腹部布２１１の上部端２１１Ａについて、図５を参照しながら詳細に説明する。
【００２６】
図５は、本実施形態に係る股部を有する衣類２００を示す部分拡大図である。図示されるように、水平線２２０を基準としたとき、第一腹部布２１０の上部端２１０Ａは正の角度ａをもって傾斜して形成されており、また、第二腹部布２１１の上部端２１１Ａは負の角度ｂをもって傾斜して形成されている。なお、角度ａと角度ｂとを正負逆方向に同じ又は略同じ角度にすることで、履くときや脱ぐとき、また、膝辺りまで下げて用を足すときの動作によるダメージが２つの腹部布に、より均等に分散される。例えば、角度ａが＋５度であるときは、角度ｂを−５度又はこれと略同じ角度にすることができる。
【００２７】
以上説明した本実施形態に係る股部を有する衣類２００によれば、腹部布２０２が外側（表側）の第一腹部布２１０と、内側（裏側）の第二腹部布２１１とで二重に構成されているため、履くときや脱ぐとき、また、膝辺りまで下げて用を足すときの動作によるダメージが２つの腹部布に分散され、ダメージの蓄積や腹部布の上部端の弛みを防ぐことができる。また、腹部布２０２が外側（表側）の第一腹部布２１０と、内側（裏側）の第二腹部布２１１とで二重に構成されているため、腹部の保温性が高まり、内臓型冷え性の予防など健康増進に寄与することができる。さらに、第一腹部布２１０の上部端２１０Ａと第二腹部布２１１の上部端２１１Ａとが水平に対して異なる角度をもって傾斜して形成されているため、腹部布２０２が二重に構成されていることによる着用時の腹部の違和感・異物感・圧迫感を軽減することができる。さらに、第一腹部布２１０の上部端２１０Ａと第二腹部布２１１の上部端２１１Ａとが水平に対して傾斜して形成されているため、従来の股部を有する衣類と比べて腹部布２０２の上部端を長くすることができ、これにより、履くときや脱ぐとき、また、膝辺りまで下げて用を足すときの動作によって伸ばされる量が低減され、ダメージの蓄積や腹部布の上部端の弛みを防ぐ効果を高めることができる。
【００２８】
次に、本考案に係る股部を有する衣類の第二実施形態を説明する。
【００２９】
図６は、本実施形態に係る股部を有する衣類３００を示す正面図である。図示されるように、股部を有する衣類３００は、股部２０４を有しており、本体布２０１と、第一帯状弾性体２０５と、第二帯状弾性体２０６とを備えている。なお、第一帯状弾性体２０５と第二帯状弾性体２０６とは、連続して一体的に構成されても良い。
【００３０】
本体布２０１は、腹部を覆う腹部布２０２と、臀部を覆う臀部布２０３（図４と同一であるため、背面図を省略する。なお、図４に示すように一枚の布で構成しても良く、複数の布を縫着して構成しても良い。）とを有して構成されている。ここで、腹部布２０２は、外側（表側）の第一腹部布２１０と、内側（裏側）の第二腹部布２１１とで二重に構成されており、第一腹部布２１０の上部端２１０Ｂと、第二腹部布２１１の上部端２１１Ｂとは、縫着されずに解放するようにして構成されている。また、第一腹部布２１０の上部端２１０Ｂと、第二腹部布２１１の上部端２１１Ｂとは、図６に示されるように、互いに異なる角度をもって傾斜して形成されている。また、第一腹部布２１０の上部端２１０Ｂと、第二腹部布２１１の上部端２１１Ｂとは、第一実施形態の直線状と異なり、曲線状に形成されている。なお、図６では、曲線状の具体例としていわゆる波線状（ウェーブ状）を図示しているが、曲線状であれば如何なるものであっても構わない。水平線を基準としたときの角度については、第一実施形態と同様である。
【００３１】
第一帯状弾性体２０５は、例えば上部端の生地をギャザー状にして帯状ゴムを縫い付けたものであっても、上部端の生地をギャザー状にして複数本のゴム糸を縫い込んだものであっても良く、第一帯状弾性体２０５が設けられる部分が伸縮自在に形成されるものであれば如何なるものであっても構わない。第一帯状弾性体２０５は、背面から両側の腸骨稜の位置２０７の本体布２０１の上部端のところまで設けられている。
【００３２】
第二帯状弾性体２０６は、第一帯状弾性体２０５が設けられる両側の腸骨稜の位置２０７の本体布２０１の上部端から、逆ハの字になるように足の付け根の両側まで設けられる弾性体である。すなわち、両側の腸骨稜の位置２０７の本体布２０１の上部端から、両側の上前腸骨棘の位置２０８の内側を通って恥骨の位置２０９の両側付近の位置まで配置される。したがって、図３に示されるように、第一腹部布２１０の上部端２１０Ｂと第二腹部布２１１の上部端２１１Ｂには帯状弾性体は存在せず、第二帯状弾性体２０６は、腸骨稜の位置２０７の本体布２０１の上部端から、腹部中央に向かって内側に湾曲し、先端部に所定に間隙を設けるように配置されている。なお、第二帯状弾性体２０６は、第一帯状弾性体２０５と同様に、帯状弾性体が設けられる部分が伸縮自在に形成されるものであれば、布地をギャザー状にしてゴムを縫い込むものなど、如何なるものであっても構わない。
【００３３】
以上説明した本実施形態に係る股部を有する衣類３００によれば、腹部布２０２が外側（表側）の第一腹部布２１０と、内側（裏側）の第二腹部布２１１とで二重に構成されているため、履くときや脱ぐとき、また、膝辺りまで下げて用を足すときの動作によるダメージが２つの腹部布に分散され、ダメージの蓄積や腹部布の上部端の弛みを防ぐことができる。また、腹部布２０２が外側（表側）の第一腹部布２１０と、内側（裏側）の第二腹部布２１１とで二重に構成されているため、腹部の保温性が高まり、内臓型冷え性の予防など健康増進に寄与することができる。さらに、第一腹部布２１０の上部端２１０Ｂと第二腹部布２１１の上部端２１１Ｂとが水平に対して異なる角度をもって傾斜して形成されているため、腹部布２０２が二重に構成されていることによる着用時の腹部の違和感・異物感・圧迫感を軽減することができる。さらに、第一腹部布２１０の上部端２１０Ｂと第二腹部布２１１の上部端２１１Ｂとが水平に対して傾斜して形成されているため、第一実施形態に係る上部端２１０Ａや上部端２１１Ａと比べて腹部布２０２の上部端をより長くすることができ、これにより、履くときや脱ぐとき、また、膝辺りまで下げて用を足すときの動作によって伸ばされる量が低減され、ダメージの蓄積や腹部布の上部端の弛みを防ぐ効果を高めることができる。
【００３４】
次に、本考案に係る股部を有する衣類の第三実施形態を説明する。
【００３５】
図７は、本実施形態に係る股部を有する衣類４００を示す正面図である。図示されるように、股部を有する衣類４００は、股部２０４を有しており、本体布２０１と、第一帯状弾性体２０５と、第二帯状弾性体２０６とを備えている。なお、第一帯状弾性体２０５と第二帯状弾性体２０６とは、連続して一体的に構成されても良い。
【００３６】
本体布２０１は、腹部を覆う腹部布２０２と、臀部を覆う臀部布２０３（図４と同一であるため、背面図を省略する。なお、図４に示すように一枚の布で構成しても良く、複数の布を縫着して構成しても良い。）とを有して構成されている。ここで、腹部布２０２は、外側（表側）の第一腹部布２１０と、内側（裏側）の第二腹部布２１１とで二重に構成されており、第一腹部布２１０の上部端２１０Ｃと、第二腹部布２１１の上部端２１１Ｃとは、縫着されずに解放するようにして構成されている。また、第一腹部布２１０の上部端２１０Ｃと、第二腹部布２１１の上部端２１１Ｃとは、図７に示されるように、互いに異なる角度をもって傾斜して形成されている。また、第一腹部布２１０の上部端２１０Ｃと、第二腹部布２１１の上部端２１１Ｃとは、第一実施形態の直線状と異なり、ギザギザ（ジグザグ）状に形成されている。なお、図７では、典型的な形状を図示しているが、いわゆる矩形波の形状など、ギザギザ（ジグザグ）状であれば如何なるものであっても構わない。水平線を基準としたときの角度については、第一実施形態と同様である。
【００３７】
第一帯状弾性体２０５は、例えば上部端の生地をギャザー状にして帯状ゴムを縫い付けたものであっても、上部端の生地をギャザー状にして複数本のゴム糸を縫い込んだものであっても良く、第一帯状弾性体２０５が設けられる部分が伸縮自在に形成されるものであれば如何なるものであっても構わない。第一帯状弾性体２０５は、背面から両側の腸骨稜の位置２０７の本体布２０１の上部端のところまで設けられている。
【００３８】
第二帯状弾性体２０６は、第一帯状弾性体２０５が設けられる両側の腸骨稜の位置２０７の本体布２０１の上部端から、逆ハの字になるように足の付け根の両側まで設けられる弾性体である。すなわち、両側の腸骨稜の位置２０７の本体布２０１の上部端から、両側の上前腸骨棘の位置２０８の内側を通って恥骨の位置２０９の両側付近の位置まで配置される。したがって、図３に示されるように、第一腹部布２１０の上部端２１０Ｃと第二腹部布２１１の上部端２１１Ｃには帯状弾性体は存在せず、第二帯状弾性体２０６は、腸骨稜の位置２０７の本体布２０１の上部端から、腹部中央に向かって内側に湾曲し、先端部に所定に間隙を設けるように配置されている。なお、第二帯状弾性体２０６は、第一帯状弾性体２０５と同様に、帯状弾性体が設けられる部分が伸縮自在に形成されるものであれば、布地をギャザー状にしてゴムを縫い込むものなど、如何なるものであっても構わない。
【００３９】
以上説明した本実施形態に係る股部を有する衣類４００によれば、腹部布２０２が外側（表側）の第一腹部布２１０と、内側（裏側）の第二腹部布２１１とで二重に構成されているため、履くときや脱ぐとき、また、膝辺りまで下げて用を足すときの動作によるダメージが２つの腹部布に分散され、ダメージの蓄積や腹部布の上部端の弛みを防ぐことができる。また、腹部布２０２が外側（表側）の第一腹部布２１０と、内側（裏側）の第二腹部布２１１とで二重に構成されているため、腹部の保温性が高まり、内臓型冷え性の予防など健康増進に寄与することができる。さらに、第一腹部布２１０の上部端２１０Ｃと第二腹部布２１１の上部端２１１Ｃとが水平に対して異なる角度をもって傾斜して形成されているため、腹部布２０２が二重に構成されていることによる着用時の腹部の違和感・異物感・圧迫感を軽減することができる。さらに、第一腹部布２１０の上部端２１０Ｃと第二腹部布２１１の上部端２１１Ｃとが水平に対して傾斜して形成されているため、第一実施形態に係る上部端２１０Ａや上部端２１１Ａと比べて腹部布２０２の上部端をより長くすることができ、これにより、履くときや脱ぐとき、また、膝辺りまで下げて用を足すときの動作によって伸ばされる量が低減され、ダメージの蓄積や腹部布の上部端の弛みを防ぐ効果を高めることができる。
【００４０】
次に、本考案に係る股部を有する衣類の第四実施形態を説明する。
【００４１】
図８は、本実施形態に係る股部を有する衣類５００を示す正面図である。図示されるように、股部を有する衣類５００は、股部２０４を有しており、本体布２０１と、第一帯状弾性体２０５と、第二帯状弾性体２０６と、目隠し布５０１とを備えている。なお、第一帯状弾性体２０５と第二帯状弾性体２０６とは、連続して一体的に構成されても良い。
【００４２】
本体布２０１は、腹部を覆う腹部布２０２と、臀部を覆う臀部布２０３（図４と同一であるため、背面図を省略する。なお、図４に示すように一枚の布で構成しても良く、複数の布を縫着して構成しても良い。）とを有して構成されている。ここで、腹部布２０２は、外側（表側）の第一腹部布２１０と、内側（裏側）の第二腹部布２１１とで二重に構成されており、第一腹部布２１０の上部端２１０Ｃと、第二腹部布２１１の上部端２１１Ｃとは、縫着されずに解放するようにして構成されている。また、第一腹部布２１０の上部端２１０Ｃと、第二腹部布２１１の上部端２１１Ｃとは、図７に示されるように、互いに異なる角度をもって傾斜して形成されている。また、第一腹部布２１０の上部端２１０Ｃと、第二腹部布２１１の上部端２１１Ｃとは、第一実施形態の直線状と異なり、ギザギザ（ジグザグ）状に形成されている。なお、図７では、典型的な形状を図示しているが、いわゆる矩形波の形状など、ギザギザ（ジグザグ）状であれば如何なるものであっても構わない。水平線を基準としたときの角度については、第一実施形態と同様である。
【００４３】
第一帯状弾性体２０５は、例えば上部端の生地をギャザー状にして帯状ゴムを縫い付けたものであっても、上部端の生地をギャザー状にして複数本のゴム糸を縫い込んだものであっても良く、第一帯状弾性体２０５が設けられる部分が伸縮自在に形成されるものであれば如何なるものであっても構わない。第一帯状弾性体２０５は、背面から両側の腸骨稜の位置２０７の本体布２０１の上部端のところまで設けられている。
【００４４】
第二帯状弾性体２０６は、第一帯状弾性体２０５が設けられる両側の腸骨稜の位置２０７の本体布２０１の上部端から、逆ハの字になるように足の付け根の両側まで設けられる弾性体である。すなわち、両側の腸骨稜の位置２０７の本体布２０１の上部端から、両側の上前腸骨棘の位置２０８の内側を通って恥骨の位置２０９の両側付近の位置まで配置される。したがって、図３に示されるように、第一腹部布２１０の上部端２１０Ｃと第二腹部布２１１の上部端２１１Ｃには帯状弾性体は存在せず、第二帯状弾性体２０６は、腸骨稜の位置２０７の本体布２０１の上部端から、腹部中央に向かって内側に湾曲し、先端部に所定に間隙を設けるように配置されている。なお、第二帯状弾性体２０６は、第一帯状弾性体２０５と同様に、帯状弾性体が設けられる部分が伸縮自在に形成されるものであれば、布地をギャザー状にしてゴムを縫い込むものなど、如何なるものであっても構わない。
【００４５】
目隠し布５０１は、第二帯状弾性体２０６を目立たなくすることを目的として、第二帯状弾性体２０６の表面（外側）に重ねるようにして設けられる布である。目隠し布５０１の素材については特に限定しないが、例えば本体布２０１と同じ素材の布を用いることで、第二帯状弾性体２０６をより目立たなくすることができる。なお、目隠し布５０１は、第二帯状弾性体２０６に全面的に接着・縫い付け等をするのではなく、例えば第二帯状弾性体２０６の上部端のみ部分的に接着・縫い付けをするなどして、第二帯状弾性体２０６の伸縮性を十分に確保することが望ましい。
【００４６】
以上説明した本実施形態に係る股部を有する衣類２００によれば、腹部布２０２が外側（表側）の第一腹部布２１０と、内側（裏側）の第二腹部布２１１とで二重に構成されているため、履くときや脱ぐとき、また、膝辺りまで下げて用を足すときの動作によるダメージが２つの腹部布に分散され、ダメージの蓄積や腹部布の上部端の弛みを防ぐことができる。また、腹部布２０２が外側（表側）の第一腹部布２１０と、内側（裏側）の第二腹部布２１１とで二重に構成されているため、腹部の保温性が高まり、内臓型冷え性の予防など健康増進に寄与することができる。さらに、第一腹部布２１０の上部端２１０Ａと第二腹部布２１１の上部端２１１Ａとが水平に対して異なる角度をもって傾斜して形成されているため、腹部布２０２が二重に構成されていることによる着用時の腹部の違和感・異物感・圧迫感を軽減することができる。さらに、第一腹部布２１０の上部端２１０Ａと第二腹部布２１１の上部端２１１Ａとが水平に対して傾斜して形成されているため、従来の股部を有する衣類と比べて腹部布２０２の上部端を長くすることができ、これにより、履くときや脱ぐとき、また、膝辺りまで下げて用を足すときの動作によって伸ばされる量が低減され、ダメージの蓄積や腹部布の上部端の弛みを防ぐ効果を高めることができる。さらに、第二帯状弾性体２０６の表面（外側）に目隠し布５０１が設けられているため、第二帯状弾性体２０６が目立たず、ファッション性を高めることができる。
【００４７】
以上、本考案の好適な実施形態について説明したが、本考案は上記の実施形態に限定されるものではなく、例えば、一の実施形態に他の実施形態を組み合わせても良い。また、本考案の趣旨を逸脱しない範囲において種々の改変が可能である。
【００４８】
例えば、本考案に係る股部を有する衣類の変形実施形態（股部を有する衣類６００）の正面図である図９に示されるように、ズボンやスラックス、ジャージや寝間着など、股部を有する衣類であって腹部を覆うものであれば、如何なる種類の衣類としても良い。
【符号の説明】
【００４９】
１００    股部を有する衣類
１０１    本体布
１０２    腹部布
１０２Ａ    上部端
１０３    臀部布
１０４    股部
１０５    第一帯状弾性体
１０６    第二帯状弾性体
１０７    腸骨稜の位置
１０８    上前腸骨棘の位置
１０９    恥骨の位置
２００    股部を有する衣類
２０１    本体布
２０２    腹部布
２０３    臀部布
２０４    股部
２０５    第一帯状弾性体
２０６    第二帯状弾性体
２０７    腸骨稜の位置
２０８    上前腸骨棘の位置
２０９    恥骨の位置
２１０    第一腹部布
２１０Ａ    上部端
２１０Ｂ    上部端
２１０Ｃ    上部端
２１１    第二腹部布
２１１Ａ  上部端
２１１Ｂ  上部端
２１１Ｃ    上部端
３００    股部を有する衣類
４００    股部を有する衣類
５００    股部を有する衣類
５０１    目隠し布
６００    股部を有する衣類
【図１】
0003230438.tif 000003
【図２】
0003230438.tif 000004
【図３】
0003230438.tif 000005
【図４】
0003230438.tif 000006
【図５】
0003230438.tif 000007
【図６】
0003230438.tif 000008
【図７】
0003230438.tif 000009
【図８】
0003230438.tif 000010
【図９】
0003230438.tif 000011